(57)【要約】【課題】屋外に設置される給水装置などの蛇口の取付けに際し、過度の締付けにともなうパッキンの外側へのはみ出しを容易に抑制し、十分な水密性を確保するとともに、パッキンの経時的な劣化を十分抑制して水密性の低下を抑えること。【解決手段】ワッシャ１４は、リング状のワッシャ本体１５と、水密性付与のために必要とされる第１のパッキン１２の圧縮厚み分ワッシャ本体の外周縁から第１のパッキン側に突出する、短尺筒状の第１のガイド片１６とを備え、ナット９の締付けにともなって第１のガイド片の側周端が取付け側の部分に当接し、第１のガイド片、ワッシャ本体および取付け側の部分により取り囲まれる第１の領域内で第１のパッキンが圧縮され、必要とされる水密性が付与される。【選択図】図１
2010276048.tif 000002
【特許請求の範囲】
【請求項１】
蛇口本体から後方に延設された接続継手の長さ方向の途中に、外側に突出するリング状のフランジが設けられ、フランジから先端までの接続継手の外周にねじ部が設けられた蛇口が、接続継手の先端側から、蛇口を取り付ける取付け側の部分に穿設された透孔に挿入され、接続継手の先端側からナットがねじ込まれて蛇口が取り付けられるとともに、フランジと取付け側の部分の間にワッシャが介設され、また、ワッシャと取付け側の部分の間に第１のパッキンが介設される蛇口の止水構造であって、
ワッシャは、リング状のワッシャ本体と、水密性付与のために必要とされる第１のパッキンの圧縮厚み分ワッシャ本体の外周縁から第１のパッキン側に突出する、短尺筒状の第１のガイド片とを備え、
ナットの締付けにともなって第１のガイド片の側周端が取付け側の部分に当接し、第１のガイド片、ワッシャ本体および取付け側の部分により取り囲まれる第１の領域内で第１のパッキンが圧縮され、必要とされる水密性が付与される
ことを特徴とする蛇口の止水構造。
【請求項２】
ワッシャは、ワッシャ本体の外周縁から第２のパッキン側へ突出する、短尺筒状の第２のガイド片も備え、第２のガイド片は、水密性の確保のために必要とされる第２のパッキンの圧縮厚み分突出し、
ナットの締付けにともなって第２のガイド片が、フランジの外側に配置され、少なくとも部分的にフランジと重なり合い、第２のガイド片、ワッシャ本体およびフランジにより取り囲まれる第２の領域内で第２のパッキンが圧縮され、必要とされる水密性が確保される
ことを特徴とする請求項１に記載の蛇口の止水構造。
【発明の詳細な説明】
【技術分野】
【０００１】
本発明は、屋外に設置される給水装置などの蛇口における漏水を抑制するための止水構造に関する。
【背景技術】
【０００２】
雨樋から排水される雨水を、草花や庭木などへの散水や洗車などに利用することが行われている。このような雨水の利用は、節水を可能にし、環境の保護などへ貢献している。
【０００３】
本出願人は、たとえば図４に示したような雨水利用システム４１をこれまでに提供している。
【０００４】
雨水利用システム４１では、竪樋４２により形成される排水路の途中に雨水取出し装置４３が接続され、フィルターなどを内蔵して備える雨水取出し部４４に、給水用ホース４５を介して雨水貯留タンク４６が接続されている。竪樋４２を流れる雨水は、その一部が、雨水取出し装置４３の雨水取出し部４４から取り出され、給水用ホース４５を通じて雨水貯留タンク４６に一定量貯留される。貯留された雨水は、雨水貯留タンク４６の下部に備える蛇口４７を開けることにより取り出すことができ、散水、洗車などに利用される。また、雨水貯留タンク４６には、その上端部にオーバーフロー用ホース４８の一端部が接続され、雨水貯留タンク４６の容量を超える雨水が雨水貯留タンク４６に供給されるとき、余剰分の雨水を、オーバーフロー用ホース４８を通じて地面に向けて排出する。
【０００５】
蛇口４７は、図５に示したように、蛇口本体４９と、蛇口本体４９の上部から後方に向かって略垂直に延びる接続継手５０とを備えたものであり、接続継手５０の長さ方向の途中には、外側に突出する円形リング状のフランジ５１が設けられている。また、接続継手５０では、フランジ５１の後方から先端までの外周にねじが切られ、ねじ部５２が設けられている。このような蛇口４７は、雨水貯留タンク４６の筐体部分５３の前面下部に穿設された透孔５４に、接続継手５０をねじ部５２の先端から挿入し、ナット５５をねじ部５２にその先端から螺合させ、フランジ５１とナット５５の間に筐体部分５３を挟みこむことによって、雨水貯留タンク４６に取り付けられる。また、透孔５４からの漏水を防ぐために、フランジ５１と筐体部分５３の間に円形リング状のパッキン５６が介設される。ナット５５の締付けによって、パッキン５６は圧縮されて変形し、水密性を確保するようにしている。
【０００６】
しかしながら、パッキン５６による蛇口４７の上記止水構造では、ナット５５を過度に締め付けると、パッキン５６が圧縮変形によりフランジ５１の外側にはみ出てしまい、水密性が大幅に低下する。このようなパッキン５６のはみ出しにともなう水密性の低下は、水密性を高めるためにはナット５５を十分に締め付ける必要があるという常識が災いしており、従来多発している。ナット５５の締付けは適度に行うことが推奨されるが、どの程度が適度とされるのか明確ではなく、人の感覚に頼らざるを得ない。
【０００７】
一方、下記特許文献１には、ねじ込みなどで結合される部材間に介在するシールリングによるシール性の改善を目的とした技術が開示され、開示されている技術は、上記パッキン５６による蛇口４７の止水構造における水密性の低下という問題に共通する課題に対してなされている。
【０００８】
すなわち、下記特許文献１には、弾性材料からなるシールリング本体と、このシールリング本体の周方向に沿ってその内部に埋設して設けられ、かつシールリング本体の両側方向に向かって突出する複数の噛込み片を有する回り止め手段とから構成されたシールリングが開示されている。このシールリングは、噛込み片がフランジ部および筐体側のパネルに噛込むことによって回り止めを実現し、この状態でシールリング本体が適切に圧縮変形し、所望のシール性、気密性を適切かつ確実に得るというものである。
【先行技術文献】
【特許文献】
【０００９】
【特許文献１】実開平５−１０６８号公報
【発明の概要】
【発明が解決しようとする課題】
【００１０】
特許文献１に記載されたシールリングは、図５に示した蛇口４７の止水構造に組み込むことができ、ナット５５の過度の締付けを解消し、シールリング本体の適切な圧縮変形によって十分な水密性が実現されると期待される。
【００１１】
しかしながら、特許文献１に記載されたシールリングは、弾性材料からなるシールリング本体の内部に回り止め手段を埋設したものであり、シールリングのコストアップが予想され、図４に示した雨水貯留タンク４６の価格に反映すると危惧される。
【００１２】
また、上記経済的な問題の他に、雨水貯留タンク４６は屋外に設置されるものであることから、弾性材料から形成されたシールリング本体は、直射日光、降雨、寒暖の差などの環境の変化を被り、経時的に劣化し、水密性が次第に低下することが懸念される。このようなシールリング本体の経時的な劣化に対して回り止め手段は、劣化を抑制するようには機能しないと考えられる。
【００１３】
本発明は、以上のとおりの事情に鑑みてなされたものであり、過度の締付けにともなうパッキンの外側へのはみ出しを容易に抑制し、十分な水密性を確保するとともに、パッキンの経時的な劣化を十分抑制して水密性の低下を抑えることのできる、蛇口の止水構造を提供することを課題としている。
【課題を解決するための手段】
【００１４】
本発明は、上記の課題を解決するために、以下の特徴を有している。
【００１５】
第１の発明は、蛇口本体から後方に延設された接続継手の長さ方向の途中に、外側に突出するリング状のフランジが設けられ、フランジから先端までの接続継手の外周にねじ部が設けられた蛇口が、接続継手の先端側から、蛇口を取り付ける取付け側の部分に穿設された透孔に挿入され、接続継手の先端側からナットがねじ込まれて蛇口が取り付けられるとともに、フランジと取付け側の部分の間にワッシャが介設され、また、ワッシャと取付け側の部分の間に第１のパッキンが介設される蛇口の止水構造であって、ワッシャは、リング状のワッシャ本体と、水密性付与のために必要とされる第１のパッキンの圧縮厚み分ワッシャ本体の外周縁から第１のパッキン側に突出する、短尺筒状の第１のガイド片とを備え、ナットの締付けにともなって第１のガイド片の側周端が取付け側の部分に当接し、第１のガイド片、ワッシャ本体および取付け側の部分により取り囲まれる第１の領域内で第１のパッキンが圧縮され、必要とされる水密性が付与されることを特徴としている。
【００１６】
第２の発明は、上記第１の発明の特徴において、ワッシャは、ワッシャ本体の外周縁から第２のパッキン側へ突出する、短尺筒状の第２のガイド片も備え、第２のガイド片は、水密性の確保のために必要とされる第２のパッキンの圧縮厚み分突出し、ナットの締付けにともなって第２のガイド片が、フランジの外側に配置され、少なくとも部分的にフランジと重なり合い、第２のガイド片、ワッシャ本体およびフランジにより取り囲まれる第２の領域内で第２のパッキンが圧縮され、必要とされる水密性が確保されることを特徴としている。
【発明の効果】
【００１７】
上記第１の発明によれば、ワッシャは、リング状のワッシャ本体と、水密性付与のために必要とされる第１のパッキンの圧縮厚み分ワッシャ本体の外周縁から第１のパッキン側に突出する、短尺筒状の第１のガイド片とを備えている。ナットの締付けにともなって第１のガイド片の側周端が取付け側の部分に当接し、第１のガイド片、ワッシャ本体および取付け側の部分により取り囲まれる第１の領域内で第１のパッキンが圧縮され、必要とされる水密性が付与される。
【００１８】
圧縮にともない外側に膨出しようとする第１のパッキンは、第１のガイド片によって移動が規制され、第１の領域の外側にはみ出ることはない。また、第１のガイド片の側周端が取付け側の部分に当接しているので、ナットをさらに締め付けることはできない。したがって、ナットの過度の締付けが解消され、第１のパッキンは、水密性付与に適した分だけ圧縮され、フランジの外側にはみ出ることはなく、水密性の低下をきたすことはない。
【００１９】
しかも、そのためのナットの締付けは、人の感覚に頼ることはなく、締付け不能となることによって、熟練を要さずに確実かつ容易に一定の精度で行うことができる。さらに、このような水密性の付与は、第１のガイド片を備えたワッシャによって実現され、コストアップが十分抑制される。雨水貯留タンクなどの屋外に設置される給水装置などの価格高騰を抑えることができる。
【００２０】
そして、第１のパッキンは、直射日光、降雨、寒暖の差などの環境の変化を被ることはほとんどなく、経時的な劣化が十分抑制され、水密性の低下が抑えられる。
【００２１】
上記第２の発明によれば、上記第１の発明の効果に加え、ワッシャは、ワッシャ本体の外周縁から第２のパッキン側へ突出する、短尺筒状の第２のガイド片も備え、第２のガイド片は、水密性確保のために必要とされる第２のパッキンの圧縮厚み分突出している。ナットの締付けにともなって第２のガイド片が、フランジの外側に配置され、少なくとも部分的にフランジと重なり合い、第２のガイド片、ワッシャ本体およびフランジにより取り囲まれる第２の領域内で第２のパッキンが圧縮され、必要とされる水密性が確保される。
【００２２】
圧縮にともない外側に膨出しようとする第２のパッキンの移動は、第２のガイド片によって規制され、第２のパッキンも第２の領域の外側にはみ出ることはない。第２のパッキンは、水密性確保に適した分だけ圧縮され、フランジの外側にはみ出ることはなく、水密性の低下をきたすことはない。このような水密性の確保は、第１のガイド片とともに第２のガイド片を備えたワッシャによって実現され、コストアップが十分抑制される。雨水貯留タンクなどの屋外に設置される給水装置などの価格高騰を抑えることができる。
【００２３】
そして、第２のパッキンも、直射日光、降雨、寒暖の差などの環境の変化を被ることはほとんどなく、経時的な劣化が十分抑制され、水密性の低下が抑えられる。
【図面の簡単な説明】
【００２４】
【図１】本発明の蛇口の止水構造の一実施形態を示した分解斜視図である。
【図２】図１に示した蛇口の止水構造の断面図である。
【図３】＜ａ＞＜ｂ＞は、図２に示した蛇口の止水構造を拡大して示した要部断面図であり、＜ａ＞は、ナットの締結前の状態を示し、＜ｂ＞は、ナットの締結後の状態を示している。
【図４】本出願人が提供している雨水利用システムを例示した斜視図である。
【図５】図４に示した雨水貯留タンクに取り付けられる蛇口の止水構造を示した要部断面図である。
【発明を実施するための形態】
【００２５】
上記のとおり、図１は、本発明の蛇口の止水構造の一実施形態を示した分解斜視図であり、図２は、図１に示した蛇口の止水構造の断面図である。
【００２６】
本実施形態の蛇口の止水構造は、図４に示した雨水利用システム４１に用いられる雨水貯留タンク４６の蛇口４７に適用されるものとして例示されている。
【００２７】
蛇口１は、蛇口本体２と、蛇口本体２の上部から後方に向かって略垂直に延設された接続継手３とから構成されている。蛇口本体２には、頂部に水平面内を回動自在とされたレバー４を備え（図２では図示を省略している）、レバー４の回動によって蛇口１が開閉するようになっている。レバー４の回動操作により蛇口１が開けられたとき、雨水貯留タンク４６内に貯留された雨水は、蛇口本体２の下端の吐出口５から吐出され、また、蛇口１が閉められたとき、雨水の吐出が停止される。
【００２８】
接続継手３は、管状であり、蛇口本体２に連通している。したがって、雨水貯留タンク４６内に貯留された雨水は、接続継手３の内部に形成された通水路６を通って蛇口本体２に流出する。
【００２９】
接続継手３では、その長さ方向の途中のやや先端側の部分に、外側に突出する円形リング状のフランジ７が設けられている。また、フランジ７から先端までの接続継手３の外周には、ねじが切られ、ねじ部８が設けられている。
【００３０】
このような蛇口１は、蛇口本体２および接続継手３ともに樹脂製とされ、雨水貯留タンク４６の筐体部分５３にナット９によって取り付けられる。
【００３１】
蛇口１を取り付ける取付け側の部分である、雨水貯留タンク４６の筐体部分５３の前面下部には、透孔１０が穿設されている。また、透孔１０の周縁には、円形リング状の受け部１１が筐体部分５３の前方に向かって突設され、受け部１１は、筐体部分５３において一段高くなっている。
【００３２】
蛇口１は、接続継手３のねじ部８側の先端から透孔１０内に挿入されて雨水貯留タンク４６に取り付けられる。透孔１０内に挿入される接続継手３の先端側の部分は、雨水貯留タンク４６の内側に突出する。そして、雨水貯留タンク４６の内側に突出する接続継手３のねじ部８に、その先端側からナット９がねじ込まれて蛇口１は、雨水貯留タンク４６に取り付けられる。
【００３３】
蛇口１の取り付けに当たって、本実施形態では、フランジ７と受け部１１の間に、第１のパッキン１２および第２のパッキン１３と、ワッシャ１４とが介設される。第１のパッキン１２および第２のパッキン１３は、ともに合成樹脂、ゴムなどから形成された、弾性を有する平パッキンであり、円形リング状に成形されている。その内径は、接続継手３のねじ部８における外径より若干大きくされており、第１のパッキン１２および第２のパッキン１３の内側にねじ部８を通すことができ、第１のパッキン１２および第２のパッキン１３は、ねじ部８の外周外側に配置される。このような第１のパッキン１２および第２のパッキン１３は、各々、厚み方向に圧縮変形可能とされている。そして、第１のパッキン１２は、ワッシャ１４と受け部１１の間に介設され、第２のパッキン１３は、フランジ７とワッシャ１４の間に介設される。なお、受け部１１は、前面が第１のパッキン１２との密着性を高めた平坦面とされ、また、その面積は、第１のパッキン１２の受け部１１側の面積より大きくされ、第１のパッキン１２と十分に接触可能としている。
【００３４】
ワッシャ１４は、円形リング状のワッシャ本体１５を備えるとともに、ワッシャ本体１５の外周縁から、第１のパッキン１２側である後方に突出する第１のガイド片１６と、同じくワッシャ本体１５の外周縁から、第２のパッキン１３側である前方に突出する第２のガイド片１７とを備えている。第１のガイド片１６および第２のガイド片１７は、ともに短尺円筒状の形状を有している。このような第１のガイド片１６と第２のガイド片１７は、一体または別体として形成することができ、また、ワッシャ本体１５にも一体または別体として形成することができる。別体として形成する場合は、接着剤などを用いたり、嵌合させたりして相互を結合することができる。本実施形態では、ワッシャ１４は、一体成形品として形成されている。ワッシャ１４は、金属、合成樹脂などの適宜な材料から形成することができ、ワッシャ本体１５、第１のガイド片１６および第２のガイド片１７の間で材料を変えることなども可能である。ワッシャ１４は、その内側に接続継手３のねじ部８を通すことができ、ねじ部８の外周外側に配置される。
【００３５】
図３＜ａ＞＜ｂ＞は、図２に示した蛇口の止水構造を拡大して示した要部断面図であり、＜ａ＞は、ナット９の締結前の状態を示し、＜ｂ＞は、ナット９の締結後の状態を示している。
【００３６】
図３＜ａ＞に示したように、第１のガイド片１６の突出代は、透孔１０からの漏水を防ぎ、水密性を付与するために必要とされる第１のパッキン１２の圧縮厚み分、すなわち、（ｗ１−Δｗ１）とされている。ここで、ｗ１は、ナット９の締結前に対応する圧縮前の第１のパッキン１２の厚みを示し、Δｗ１は、ナット９の締結により圧縮された厚みを示している。つまり、（ｗ１−Δｗ１）は、圧縮された第１のパッキン１２の厚みであり、水密性の付与に必要とされる厚みである。なお、「水密性の付与」とは、第１のパッキン１２の介設により透孔１０からの漏水が抑制され、少なくとも必要最低限の水密性が付与されることを意味している。
【００３７】
第２のガイド片１７の突出代は、水密性の確保のために必要とされる第２のパッキン１３の圧縮厚み分、すなわち、（ｗ２−Δｗ２）とされている。ここで、「水密性の確保」とは、第２のパッキン１３の介設により透孔１０からの漏水がほとんど起こらない程度に水密性が高められていることを意味している。ｗ２は、ナット９の締結前に対応する圧縮前の第２のパッキン１３の厚みを示し、Δｗ２は、ナット９の締結により圧縮された厚みを示している。つまり、（ｗ２−Δｗ２）は、圧縮された第２のパッキン１３の厚みであり、水密性の確保に必要とされる厚みである。
【００３８】
このことから、本発明の蛇口の止水構造では、第１のガイド片１６を備えたワッシャ１４および第１のパッキン１２を、フランジ７と蛇口１を取り付ける取付け側の部分、本実施形態では受け部１１との間に介設すれば、水密性の付与が実現される。第２のガイド片１７および第２のパッキン１３の配設は、要求される水密性などに応じて適宜に選択されるものとしている。
【００３９】
図３＜ｂ＞に示したように、ナット９の締付けにともなって第１のガイド片１６の側周端が受け部１１に当接する。このとき、第１のパッキン１２は、第１のガイド片１６、ワッシャ本体１５および受け部１１により取り囲まれる第１の領域１８内で圧縮され、必要とされる水密性が付与される。しかも、圧縮にともない外側に膨出しようとする第１のパッキン１２は、第１のガイド片１６によって移動が規制され、第１の領域１８の外側にはみ出ることはない。また、第２のガイド片１７は、フランジ７の外側に配置され、少なくとも部分的にフランジ７と重なり合う。このため、第２のパッキン１３は、第２のガイド片１７、ワッシャ本体１５およびフランジ７により取り囲まれる第２の領域１９内で圧縮され、必要とされる水密性が確保される。第２のパッキン１３も圧縮にともない外側に膨出しようとするが、第２のパッキン１３の移動は、第２のガイド片１７によって規制される。したがって、第２のパッキン１３も第２の領域１９の外側にはみ出ることはない。
【００４０】
そして、この状態では、第１のガイド片１６の側周端が受け部１１に当接しているので、ナット９をさらに締め付けることはできない。
【００４１】
このように、第１の実施形態では、ナット９の過度の締付けが解消され、第１のパッキン１２、第２のパッキン１３は、それぞれ、水密性の付与、水密性の確保に適した分だけ圧縮され、フランジ７の外側にはみ出ることはなく、水密性の低下をきたすことなく付与され、また、確保される。しかも、そのためのナット９の締付けは、人の感覚に頼ることはなく、第１のパッキン１２の側周端が受け部１１に当接し、締付け不能となることによって、熟練を要さずに確実かつ容易に一定の精度で行うことができる。さらに、このような水密性の付与および確保は、第１のガイド片１６および第２のガイド片１７を備えたワッシャ１４によって実現され、コストアップが十分抑制される。雨水貯留タンク４６などの屋外に設置される給水装置などの価格高騰を抑えることができる。
【００４２】
そして、第１のパッキン１２は第１の領域１８内に、また、第２のパッキン１３は第２の領域１９内に収められるので、雨水貯留タンク４６は屋外に設置されるものであっても、第１のパッキン１２および第２のパッキン１３は、ともに直射日光、降雨、寒暖の差などの環境の変化を被ることはほとんどない。第１のパッキン１２および第２のパッキン１３の経時的な劣化が十分抑制され、水密性の低下が抑えられる。
【００４３】
なお、本発明の蛇口の止水構造は、図４に示した雨水利用システム４１における雨水貯留タンク４６の蛇口４７に対してのみ有効とされるのではなく、屋外に設置される各種の給水装置などの蛇口に広く適用可能である。また、蛇口の構成および構造については特に限定されることはなく、蛇口本体を給水装置などの取付け側の部分に接続継手を以って取り付けることができる限り、本発明の蛇口の止水構造は適用可能であり、十分有効である。
【符号の説明】
【００４４】
１  蛇口
２  蛇口本体
３  接続継手
７  フランジ
８  ねじ部
９  ナット
１０  透孔
１２  第１のパッキン
１３  第２のパッキン
１４  ワッシャ
１５  ワッシャ本体
１６  第１のガイド片
１７  第２のガイド片
１８  第１の領域
１９  第２の領域
【図１】
2010276048.tif 000003
【図２】
2010276048.tif 000004
【図３】
2010276048.tif 000005
【図４】
2010276048.tif 000006
【図５】
2010276048.tif 000007